(57)【要約】【課題】  従来の釣り用浮きでは、魚がかかった時にだけ検知するようにしているため、釣り用浮きを投げ入れた時に、釣り用浮きの下に魚群がいるかどうか分からないという問題がある。【解決手段】  円筒形本体１の下端近傍に傘状安定板２を形成し、円筒形本体１の上端に釣り糸３を結ぶ連結具４を固着し、円筒形本体の下端に重り５及び釣り針６を結ぶ釣り糸７を結ぶ連結具８が固着され、又、円筒形本体１の内部下端に圧電体振動子９が装着され、この圧電体振動子９の上に発振器１０が装着され、発振器１０の上に電池等の電源１１が装着され、電源１１の上に増幅器を装着した受信機１２が装着され、受信機１２で受信された反射波信号によって、円筒形本体１の内部上端に装着された発光体１３を発光させる。【選択図】図１
2006149292.tif 000002
【特許請求の範囲】
【請求項１】
円筒形本体の下部近傍外部に傾斜した傘状安定板を装着し、前記円筒形本体の上端に釣り糸を結ぶ連結具を装着し、前記円筒形本体の下端に重り及び釣り針を装着した釣り糸を結ぶ連結具を装着し、前記円筒形本体の内部下端に圧電体振動子を装着し、該圧電体振動子の上に発振器及び電池を装着し、前記円筒形本体の内部上端に発光体を装着し、前記圧電体振動子から送受信した超音波により、前記円筒形本体の下方の周囲の魚群を検知し、前記圧電体振動子からの信号で前記発光体を発光させることを特徴とする釣り用浮き。
【請求項２】
前記圧電体振動子はリング又は円筒型圧電体振動子であることを特徴とする請求項１記載の釣り用浮き。
【請求項３】
前記傘状安定板は、前記圧電体振動子から横方向に送信された超音波をほぼ垂直方向に反射するために、中心角が８０度〜１００度であることを特徴とする請求項１及び２記載の釣り用浮き。
【発明の詳細な説明】
【技術分野】
【０００１】
本発明は、圧電体振動子からの超音波で魚群を検知した時に、発光体で発光させるようにした釣り用浮きに関するものである。
【背景技術】
【０００２】
従来、釣り用浮きの内部に、釣り用浮きの振動で揺動する揺動体を装着し、揺動体に電池及び光源を装着したものが提案され、この釣り用浮きは当たりがあった時に、釣り用浮きが揺れることにより光源が揺れて、光の変化により魚が針にかかったことを検知するようにしている。
【０００３】
しかしながら、このように、釣り用浮きでは、魚がかかった時にだけ検知するようにしているため、釣り用浮きを投げ入れた時に、釣り用浮きの下に魚群がいるかどうか分からないという問題がある。
【特許文献１】特開２００３−６１５３０
【発明の開示】
【発明が解決しようとする課題】
【０００４】
解決しようとする問題点は、従来の釣り用浮きでは、魚がかかった時にだけ検知するようにしているため、釣り用浮きを投げ入れた時に、釣り用浮きの下に魚群がいるかどうか分からないという問題がある。
【課題を解決するための手段】
【０００５】
本発明では、釣り用の浮きは、円筒形本体の下部近傍外部に傾斜した傘状安定板を装着し、前記円筒形本体の上端に釣り糸を結ぶ連結具を装着し、前記円筒形本体の下端に重り及び釣り針を装着した釣り糸を結ぶ連結具を装着し、前記円筒形本体の内部下端に圧電体振動子を装着し、該圧電体振動子の上に発振器及び電池を装着し、前記円筒形本体の内部上端に発光体を装着し、前記圧電体振動子から送受信した超音波により、前記円筒形本体の下方の周囲の魚群を検知し、前記圧電体振動子からの信号で前記発光体を発光させるものである。
【発明の効果】
【０００６】
本発明の釣り用浮きでは、円筒形本体の下端に傘状安定板を装着することにより、釣り用浮きを安定させるとともに、圧電体振動子の側面から照射された超音波を傘状安定板で反射させて下方に垂直に照射することにより、圧電体振動子の下端から照射された超音波とともに、傘状安定板の下方の広い範囲に超音波を照射するので、傘状安定板の下方の魚群を広い範囲に渡って超音波の反射波で検知することができ、さらに、検知された反射波によって、上部に装着した発光体を発光することにより、浮きの下方の広い範囲の魚群を検知することができる。
【発明を実施するための最良の形態】
【０００７】
本発明では、釣り用の浮きは、下部近傍外部に傾斜した傘状安定板を装着し、上端に釣り糸を結ぶ連結具を装着し、下端に重り及び釣り針を装着した釣り糸を結ぶ連結具を装着し、内部下端に圧電体振動子を装着し、該圧電体振動子の上に発振器及び電池を装着し、内部上端に発光体を装着することによって、圧電体振動子の下面から超音波が照射され、又、前記圧電体振動子側面から照射した超音波は傘状安定板により反射され、圧電体振動子の下面から照射された超音波と傘状安定板によって反射された超音波により、浮きの周囲の広い範囲の魚群を検知し、それによって、前記発光体を発光させるように構成している。
【実施例】
【０００８】
図１は本発明の実施例の釣り用浮きの側面断面図で、円筒形本体１の下端近傍に傘状安定板２を形成し、円筒形本体１の上端に釣り糸３を結ぶ連結具４を固着し、円筒形本体の下端に重り５及び釣り針６を結ぶ釣り糸７を結ぶ連結具８が固着され、又、円筒形本体１の内部下端に圧電体振動子９が装着され、この圧電体振動子９の上に発振器１０が装着され、発振器１０の上に電池等の電源１１が装着され、電源１１の上に増幅器を装着した受信機１２が装着され、受信機１２で受信された反射波信号によって、円筒形本体１の内部上端に装着された発光体１３を発光させ、又、圧電体振動子９は横方向に超音波を照射するために、リング又は円筒型に構成され、さらに、傘状安定板２は圧電体振動子９から照射された超音波をほぼ垂直方向に反射するために、中心角が８０度〜１００度となるように構成する。
【０００９】
このように構成された本実施例の釣り用浮きでは、釣り糸７を竿に装着された釣り糸と接続して、釣り用浮きの円筒形本体１を水の中に浮かした後、発振器１０から圧電体振動子９に発振出力を印加すると、圧電体振動子９の下面から超音波が水中に照射されるとともに、圧電体振動子９の側面から超音波が照射されるが、側面から照射された超音波は傘状安定板２によってほぼ垂直方向に反射されて水中に照射され、水中の魚群や水底で反射された超音波は、再び直接圧電体振動子９に入力され、又、傘状安定板２で反射されて圧電体振動子９に入力され、このように入力された超音波を受信機１２で検知し、受信機１２からの信号で発光体１３を発光し、浮きの下に魚群が居ることを発光によって知らせることができる。
【産業上の利用可能性】
【００１０】
なお、上記実施例において、圧電体振動子９の上に発振器１０、電源１１、受信機１２を装着するようにしたが、その配置はどのように構成してもよい。
【図面の簡単な説明】
【００１１】
【図１】本発明の実施例の釣り用浮きの構成図である。
【符号の説明】
【００１２】
１                円筒形本体
２                傘状安定板
３                釣り糸
４                連結具
５                重り
６                釣り針
７                釣り糸
８                連結具
９                圧電体振動子
１０              発振器
１１              電源
１２              受信機
１３              発光体
【図１】
2006149292.tif 000003